(57)【要約】      （修正有）【課題】互いに直交する三軸方向のいずれの方向へもブロック同士の結合を繰り返すことができ、直感的に立体形状を造形することが可能なブロック玩具システムを提供する。【解決手段】正六面体に形成されると共に各面の中央には当該面から垂直に起立する連結ピン１０が設けられた第一ブロック１Ａ，１Ｂと、第一ブロック１Ａ，１Ｂと同じ大きさの正六面体に形成されると共に各面の中央には第一ブロック１Ａ，１Ｂに設けられた連結ピン１０が嵌合する連結穴２０が設けられた第二ブロック２Ａ，２Ｂと、を備えている。【選択図】図５
0003198058.tif 000002
【実用新案登録請求の範囲】
【請求項１】
正六面体に形成されると共に各面の中央には当該面から垂直に起立する連結ピンが設けられた第一ブロックと、前記第一ブロックと同じ大きさの正六面体に形成されると共に各面の中央には前記第一ブロックに設けられた連結ピンが嵌合する連結穴が設けられた第二ブロックと、
を備えたことを特徴とするブロック玩具システム。
【請求項２】
正六面体に形成され、少なくともいずれか一つの面の中央は前記連結ピンが形成される一方、残余の面の中央には前記連結穴が設けられ、六面に対する前記連結ピン又は連結穴の配置が異なる8種類の補助ブロックを含むことを特徴とする請求項１記載のブロック玩具システム。
【考案の詳細な説明】
【技術分野】
【０００１】
本考案は、複数のブロックを結合して、任意の立体形状を組み立てることが可能なブロック玩具システムに関するものである。
【背景技術】
【０００２】
従来、この種のブロック玩具は、例えば特許文献１乃至３に示すように、直方体又は立方体に形成されたブロックの表面側に円筒形状の連結ピンを形成する一方、裏面側に前記連結ピンが嵌合可能な連結穴を形成しており、これら連結ピンと連結穴を互いに嵌合させることで、ブロック同士を結合し、それを繰り返すことで任意の立体形状を組み立てて遊ぶことができるようになっている。
【先行技術文献】
【特許文献】
【０００３】
【特許文献１】特開２００７−８２６４７号公報
【特許文献２】特開２００９−３９４４０号公報
【特許文献３】実用新案登録第３１８５７０８号公報
【考案の概要】
【考案が解決しようとする課題】
【０００４】
しかし、従来のブロック玩具は前記連結ピンと連結穴の嵌合によって一方向へブロックを積み上げるものであり、互いに隣接するブロック同士を直接結合することはできなかった。このため、複数のブロックを千鳥状に配置して隣接するブロック同士を間接的に結合しなくては造形した立体形状に強度を与えることができず、立体形状を造形するに当たっての自由度が低かった。
【０００５】
また、従来のブロック玩具は一方向へブロックを積み上げるものなので、平面の積み重ねとして立体形状を認識し直さなくては当該立体形状を造形することができず、直感的にブロックを結合して立体形状を製作するには不向きであった。
【課題を解決するための手段】
【０００６】
本考案はこのような問題点に鑑みなされたものであり、その目的とするところは、互いに直交する三軸方向のいずれの方向へもブロック同士の結合を繰り返すことができ、直感的に立体形状を造形することが可能なブロック玩具システムを提供することにある。
【０００７】
前記目的を達成するために、本考案のブロック玩具システムは、正六面体に形成されると共に各面の中央には当該面から垂直に起立する連結ピンが設けられた第一ブロックと、前記第一ブロックと同じ大きさの正六面体に形成されると共に各面の中央には前記第一ブロックに設けられた連結ピンが嵌合する連結穴が設けられた第二ブロックと、を備えている。
【０００８】
このような本考案によれば、前記結合ピンと前記結合穴を嵌合させることによって、正六面体である第一ブロックの総ての面に対して第二ブロックを結合することが可能となり、また、第二ブロックの総ての面に対して第一ブロックを結合することが可能になる。このため、前記第一ブロック及び第二ブロックを交互につなぎ合わせることで、互いに直交する三軸方向のいずれの方向へもブロック同士の結合を繰り返すことができる他、互いに隣接するブロック同士は結合ピンと結合穴で連結されたものになる。
【０００９】
従って、三次元の立体形状を自由に、しかもブロック同士の結合を気にすることなく直感的に造形することが可能となる。
【００１０】
本考案のブロック玩具システムは前記第一ブロック及び前記第二ブロックを基本とするものであるが、前記第一ブロック及び第二ブロックに加えて補助ブロックを含ませることができる。かかる補助ブロックは前記第一ブロック及び第二ブロックと同様に正六面体に形成され、少なくともいずれか一つの面の中央には前記連結ピンが形成される一方、残余の面の中央には前記連結穴が設けられている。かかる補助ブロックは、正六面体を区画する六面のうち、前記連結ピンが設けられた面数及び当該連結ピンが設けられた面の配置に応じ、8種類が存在する。
【００１１】
これら8種類の補助ブロックを前記第一ブロック及び第二ブロックと組み合わせて使用することにより、例えば外観上は連結ピンの存在を把握することができない立体形状を造形することができ、本考案のブロック玩具システムを用いて様々な立体形状を創作することが可能となる。
【図面の簡単な説明】
【００１２】
【図１】本考案を適用したブロック玩具システムの第一ブロックの一例を示す斜視図である。
【図２】第一ブロックの展開図である。
【図３】本考案を適用したブロック玩具システムの第二ブロックの一例を示す斜視図である。
【図４】第二ブロックの展開図である。
【図５】第一ブロック及び第二ブロックの組み合わせ例その１を示す斜視図である。
【図６】第一ブロック及び第二ブロックの組み合わせ例その２を示す斜視図である。
【図７】五面に連結ピンが形成された補助ブロックの展開図である。
【図８】四面に連結ピンが形成された補助ブロックの第一例を示す展開図である。
【図９】四面に連結ピンが形成された補助ブロックの第二例を示す展開図である。
【図１０】三面に連結ピンが形成された補助ブロックの第一例を示す展開図である。
【図１１】三面に連結ピンが形成された補助ブロックの第二例を示す展開図である。
【図１２】二面に連結ピンが形成された補助ブロックの第一例を示す展開図である。
【図１３】二面に連結ピンが形成された補助ブロックの第二例を示す展開図である。
【図１４】一面に連結ピンが形成された補助ブロックの展開図である。
【考案を実施するための形態】
【００１３】
以下、添付図面を用いて本考案を適用したブロック玩具システムの実施形態を詳細に説明する。
【００１４】
図１は本考案を適用したブロック玩具システムを構成する第一ブロック１の斜視図である。この第一ブロック１は正六面体に形成されており、六面存在する各面の中央には円柱状の連結ピン１０が形成されている。図２は前記第一の移動ブロック１の展開図である。各面の中央に設けられた連結ピン１０は黒丸で表現している。このように前記第一ブロック１では正六面体の各面の中央に連結ピン１０が存在しており、互いに直交する三軸方向へ当該連結ピン１０が突出している。
【００１５】
一方、図３は第二ブロック２を示す斜視図であり、当該第二ブロック２は前記第一ブロック１と組み合わせて使用される。この第二ブロック２も前記第一ブロック１と同じく正六面体に形成されており、各辺の長さは前記第一ブロック１と同一である。第二ブロック２を区間する六面に関し、各面の中央には連結穴２０が形成されている。これら連結穴２０の内径は前記連結ピン１０の外径と同一、又は僅かに大きく形成されており、前記第二ブロック２の連結穴２０に対して前記第一ブロック１の連結ピン１０が嵌合するようになっている。図４は前記第二の移動ブロック２の展開図である。各面の中央に設けられた連結穴２０は白丸で表現している。
【００１６】
前記連結ピン１０及び前記連結穴２０は、容易には抜けない程度の軽い締め付け力を伴って互いに嵌合するものであればよく、例えば嵌合時のクリック感を出すために前記連結ピン１０の周面に係止突起を設けても差し支えない。また、前記連結穴２０の周壁を複数に分割して、当該周壁が前記連結ピン１０を軽く締め付けるように構成しても良い。
【００１７】
図５は前記第一ブロック１と前記第二ブロック２の組み合わせ例を示すものであり、合計四個のブロックを組み合わせている。下段は第一ブロック１Ａと第二ブロック２Ａを組み合わせたもので、前記第一ブロック１Ａの上には第二ブロック２Ｂが、前記第二ブロック２Ａの上には第一ブロック１Ｂが積まれるようになっている。但し、上段の二個のブロック１Ｂ，２Ｂの間でも連結ピン１０と連結穴２０が嵌合する関係上、下段の第一ブロック１Ａの連結ピン１０と上段の第二ブロック２Ｂの連結穴２０を嵌合させた後では、下段の第二ブロック２Ａの連結ピン１０と上段の第一ブロック１Ｂの連結穴２０を嵌合させることができない。このため、これら四個のブロックを互いに組み合わせる際には、先ずは下段の第一ブロック１Ａ及び第二ブロック２Ａを互いに嵌合させてブロック対を形成する一方、上段の第一ブロック１Ｂ及び第二ブロック２Ｂを嵌合させてブロック対を形成し、その後に上段及び下段のブロック対を互いに嵌合させる必要がある。
【００１８】
図６は前記第一ブロック１及び第二ブロック２を四個ずつ組み合わせて立方体を構築した例を示すものである。この立方体は、前記第一ブロック１及び第二ブロック２を一個ずつ組み合わせたブロック対を四基形成した後、これら四基のブロック対を互いに組み合わせて構成されている。この立方体は各面毎に前記連結ピン１０及び連結穴２０が対角線上に配置されていることから、この図４に示す立方体を多数準備し、それらを繰り返し結合していくことも可能であり、更に大型の立体形状を造形する際の基礎単位として把握することができる。
【００１９】
本発明のブロック玩具システムでは、前記第一ブロック１及び第二ブロック２を任意に組み合わせることで、立体形状を自由に造形することが可能であるが、更に造形の自由度を高めるという観点からすれば、前記連結ピン１０と連結穴２０とが混在して設けられた補助ブロックを当該システムに含ませるのが好ましい。
【００２０】
前記補助ブロックは前記第一ブロック１及び第二ブロック２と同じサイズの正六面体であり、当該正六面体を区画する六面のうちの、少なくともいずれか一つの面の中央には前記連結ピン１０が形成され、残余の面の中央には前記連結穴２０が設けられている。六面に対する前記連結ピン１０及び連結穴２０の配置は全部で八通り存在する。
【００２１】
図７は、六面のうちの五面に連結ピン１０を、残りの一面に連結穴２０を設けた補助ブロック３Ａを示す展開図である。図８及び図９は六面のうちの四面に連結ピン１０を、残りの二面に連結穴２０を設けた補助ブロック３Ｂ，３Ｃを示す展開図であり、図８は前記連結穴２０を設けた二面が相反する方向に面している場合を、図９は前記連結穴２０を設けた二面が互いに隣接している場合を示している。また、図１０及び図１１は六面のうちの三面に連結ピン１０を、残りの三面に連結穴２０を設けた補助ブロック３Ｄ，３Ｅを示す展開図であり、図１０は前記連結穴２０を設けた三面が一つの角部の周囲で相互に隣接している場合を、図９は前記連結穴２０を設けた三面が展開図上で一列に並ぶ場合を示している。更に、図１２及び図１３は六面のうちの二面に連結ピン１０を、残りの四面に連結穴２０を設けた補助ブロック３Ｆ，３Ｇを示す展開図であり、図１２は前記連結ピン１０を設けた二面が相反する方向に面している場合を、図１３は前記連結ピン１０を設けた二面が互いに隣接している場合を示している。そして、図１４は、六面のうちの一面に連結ピン１０を、残りの五面に連結穴２０を設けた補助ブロック３Ｈを示す展開図である。
【００２２】
このように前記補助ブロックは八種類存在し、前記第一ブロック１及び前記第二ブロック２を併せると、本実施形態のブロック玩具システムには１０種類のブロックが存在することになる。二種類の基本ブロック（第一ブロック及び第二ブロック）及び八種類の補助ブロックを組み合わせることで、外観上は連結ピン１０が突出していない立体形状の造形も可能であり、例えば机上で組立作業を行う場合でも前記連結ピン１０が邪魔になることはない。
【００２３】
また、本実施形態のブロック玩具システムを使用すれば、例えば10種類のブロックを三次元的に組み合わせることで建築物の柱や梁を自由に表現し、建築物の設計時における模型作りに利用することも可能である。このため、一方向への積み上げによって立体形状を表現していた従来のブロック玩具と比較し、本発明のブロック玩具システムは多彩な用途に利用可能である。
【符号の説明】
【００２４】
１…第一ブロック、２…第二ブロック、３Ａ〜３Ｈ…補助ブロック、１０…連結ピン、２０…連結穴
【図１】
0003198058.tif 000003
【図２】
0003198058.tif 000004
【図３】
0003198058.tif 000005
【図４】
0003198058.tif 000006
【図５】
0003198058.tif 000007
【図６】
0003198058.tif 000008
【図７】
0003198058.tif 000009
【図８】
0003198058.tif 000010
【図９】
0003198058.tif 000011
【図１０】
0003198058.tif 000012
【図１１】
0003198058.tif 000013
【図１２】
0003198058.tif 000014
【図１３】
0003198058.tif 000015
【図１４】
0003198058.tif 000016